(57)【要約】【課題】アレルゲンなどの汚染状況検査のために床などの被検査対象物表面から検体を得る目的で、煩雑な操作や操作の習熟を必要とせず簡単に再現良くサンプリングするためのサンプリング装置を提供する。【解決手段】開口枠体１１で捕集領域１０を限定し、サンプリング媒体導入手段１５を用いてサンプリング媒体１３を前記捕集領域に満たし、一定面積の捕集領域である被検査対象物表面９の粉状物質５をサンプリング媒体が取り込み、前記サンプリング媒体を第２のサンプリング媒体導入手段１６によって捕捉部１２に移動させることで粉状物質を捕捉し、選別手段３で特定の性状によって選別し、回収手段４によって回収保持することで、煩雑な操作をしなくても再現良くサンプリングできるようになる。【選択図】図１
2006071455.tif 000002
【特許請求の範囲】
【請求項１】
被検査対象物表面上の粉状物質を捕集する捕集手段と、捕集された粉状物質の特定の性状によって粉状物質を選別する選別手段と、選別された粉状物質を回収する回収手段と、捕集手段によって捕集された粉状物質を選別手段に移動させる移動手段と、選別手段によって選別された粉状物質を回収手段に移動させる第２の移動手段を備えたサンプリング装置であって、前記捕集手段は粉状物質を捕集手段に取りこむ開口部と前記開口部を形成し被検査対象物表面上の捕集領域を限定する開口枠体と前記粉状物質を捕捉する捕捉部と前記粉状物質を捕集領域上から捕捉部に移動させるサンプリング媒体と前記サンプリング媒体を含有するサンプリング媒体供給部と前記サンプリング媒体を捕集領域に導入させるサンプリング媒体導入手段と開口部に導入されたサンプリング媒体を捕集領域から捕捉部に導入させる第２のサンプリング媒体導入手段を備えたことを特徴とするサンプリング装置。
【請求項２】
開口枠体を被検査対象物表面上に接触させ、開口部に露出した被検査対象物表面を粉状物質の捕集領域とし、前記捕集領域にサンプリング媒体を満たすことで粉状物質を捕集することを特徴とした請求項１記載のサンプリング装置。
【請求項３】
開口枠体が弾性もしくは可塑性を有する材質から構成されることを特徴とした捕集手段を備えた請求項１あるいは２に記載のサンプリング装置。
【請求項４】
サンプリング媒体が流体であることを特徴とした請求項１〜３のいずれかに記載のサンプリング装置。
【請求項５】
サンプリング媒体である流体に粒子状の物質が含まれていることを特徴とする請求項４記載のサンプリング装置。
【請求項６】
サンプリング媒体が粉状物質を吸着する特性を持つ担体であることを特徴とした請求項１〜３のいずれかに記載のサンプリング装置。
【請求項７】
サンプリング媒体である粉状物質を吸着する特性を持つ担体がシート状に構成されていることを特徴とした請求項６記載のサンプリング装置。
【請求項８】
サンプリング媒体である粉状物質を吸着する特性を持つ担体が粒子状の物質で構成されていることを特徴とした請求項６記載のサンプリング装置。
【請求項９】
サンプリング媒体である粉状物質を吸着する特性を持つ担体が帯磁性であることを特徴とする請求項６〜８のいずれかに記載のサンプリング装置。
【請求項１０】
開口部の真上に口面が平行になるように配置され開口部と同じ形状かつ同じ大きさの開放口を備え、一定時間内に捕集領域に落下してきた粉状物質を捕集することを特徴とする請求項１〜９のいずれかに記載のサンプリング装置。
【請求項１１】
捕集手段がサンプリング装置から脱着可能な構造である請求項１〜１０のいずれかに記載のサンプリング装置。
【請求項１２】
粉状物質の粒径によって粉状物質を選別することのできる篩手段からなる選別手段を備えた請求項１〜１１のいずれかに記載のサンプリング装置。
【請求項１３】
粉状物質のサンプリング媒体中での比重の違いによって選別することを特徴とする選別手段を備えた請求項１、２、３、４、５、１０あるいは１１に記載のサンプリング装置。
【請求項１４】
粉状物質を溶解させるための溶媒と粉状物質を溶媒に溶解させる溶解手段からなる選別手段を備え、粉状物質の溶解能の差異によって粉状物質を選別することを特徴とした請求項１〜１１のいずれかに記載のサンプリング装置。
【請求項１５】
回収手段に脱着可能なサンプリング容器を備え、前記サンプリング容器内に粉状物質を回収することを特徴とした回収手段を備えた請求項１〜１４のいずれかに記載のサンプリング装置。
【請求項１６】
サンプリング容器に回収された粉状物質を溶解させるサンプリング溶媒と、前記サンプリング溶媒に粉状物質を溶解させる溶解手段と、粉状物質を溶解した前記サンプリング溶媒を固化させる固化手段を備えた回収手段を備えた請求項１５記載のサンプリング装置。
【請求項１７】
粉状物質の重量を計測する測量手段を捕集手段もしくは選別手段もしくは回収手段のいずれかに少なくとも一つ備えた請求項１〜１６のいずれかに記載のサンプリング装置。
【請求項１８】
請求項１〜１７のいずれかに記載のサンプリング装置を有するアレルゲン計測装置。
【請求項１９】
検知方法として抗原抗体反応を利用した請求項１８記載のアレルゲン計測装置。
【発明の詳細な説明】
【技術分野】
【０００１】
本発明は、検査対象物の表面上にある環境アレルゲンなどを含んだ粉状物質を回収する技術に関する。
【背景技術】
【０００２】
従来、この種の環境アレルゲンを含んだ粉状物質を回収するサンプリング手段として、電気掃除機に装着可能集塵袋を用い電気掃除機で吸引されたハウスダストを捕集する方法が知られている（例えば、特許文献１参照）。
【０００３】
以下、そのサンプリング手段について図２０を参照しながら説明する。
【０００４】
図に示すように、アレルゲン捕集部１０１とアレルゲン検出部１０２と抗原溶解液供給部１０３が台紙１０５上に一体化されており、台紙１０５上の掃除機ホース挿入部１０６に掃除機ホースを装着した後に掃除機による集塵を行うことで掃除機集塵袋１０４にハウスダストが捕集され、アレルゲン捕集部１０１にアレルゲンが捕捉される。アレルゲン捕集部１０１に捕捉されたアレルゲンは抗原溶解液供給部１０３から浸潤された抗原溶解液に溶解し、抗原溶解液をアレルゲン検出部１０２送り込むことでアレルゲンが検出される。このように、掃除機ホースに本装置を装着し、被検査対象物表面から掃除機を用いて集塵することによってサンプリングを行う。
【０００５】
また、この種のサンプリング手段にはぬぐい取り式の試料採集方法が利用されている（例えば、特許文献２参照）。
【０００６】
以下、そのサンプリング手段について図２１を参照しながら説明する。
【０００７】
図に示すように、アレルゲン検出部１０２と多孔性のぬぐい取りピン１０８がケーシング１０７で一体化されており、ぬぐい取りピン１０８をもちいてアレルゲンが落下している表面を拭い取ることでアレルゲンを採集し、ぬぐい取りピン１０８上に抗原溶解液供給部１０３から抗原溶解液を滴下することによりアレルゲンを抗原溶解液に溶解させる。溶解液は輸送ゾーン１１０を通過してアレルゲン検出部１０２に到達しアレルゲンが検知される。このように、ぬぐい取りピンで被検査対象物表面をこすることによってサンプリングを行う。
【特許文献１】特開２０００−１７１４６４号公報
【特許文献２】実用新案登録第３０６６５９７号公報
【発明の開示】
【発明が解決しようとする課題】
【０００８】
近年、環境中のアレルゲンに悩まされるアレルギー患者が急増しており、アレルギー患者の中には過剰なアレルギー症状によって死に至る者もいる。このような状況下にあって、環境中のアレルゲンを検知する手段はアレルギー患者にとってアレルギー症状を回避する上で有効な手段となるため、様々なアレルゲン検知方法が考案され実用化されている。このような方法として電気掃除機に装着した集塵袋を利用し、集塵袋に捕集されたハウスダスト中のアレルゲン量を抗原抗体反応にて検知する方法や、表面上を拭い取ることでハウスダストを採集し抗原抗体反応を利用して検知する方法がある。しかしながら、このような従来のサンプリング手段を用いた場合、ハウスダストを採集するための集塵袋を掃除機へ装着する操作や、ぬぐい取りピンで何度も表面を拭い取る操作が面倒であり採集作業が煩雑になるという課題があり、簡便にハウスダストを回収する手段が要求されている。
【０００９】
本発明はこのような従来の課題を解決するものであり、ハウスダスト採集時の煩雑な操作を軽減し簡単に採集することを可能にするサンプリング装置を提供することを目的としている。
【００１０】
また、従来のサンプリング手段を用いた場合、ハウスダストを採集する際の誤差が大きくアレルゲンの汚染状況を正確に把握することは困難であり、ハウスダスト採集時の誤差を少なくするのに一定の習熟が必要であるという課題がり、誰でも簡単に再現良くハウスダストを採集する手段が要求されていた。
【００１１】
本発明はこのような従来の課題を解決するものであり、ハウスダスト採集時の誤差を低減し再現良く採集することを可能にするサンプリング装置を提供することを目的としている。
【００１２】
また、集塵袋を用いてハウスダストを採集する際に一部のハウスダストが集塵袋を通過して掃除機内に吸引されたり、ぬぐい取りピンで表面をぬぐい取る際に意図せず同じ場所をぬぐい取ってしまうことで採集されるハウスダストをロスしてしまう可能性があり、ロスしたハウスダスト中にアレルゲンが高濃度に含まれていた場合アレルゲンによる環境中の汚染を見過ごしてしまうという課題があり、ロスすることなく確実にハウスダストを採集する手段が求められていた。
【００１３】
本発明は、このような従来の課題を解決するものであり、ハウスダストをロスすることなく確実に採集することを可能にするサンプリング装置を提供することを目的としている。
【課題を解決するための手段】
【００１４】
本発明のサンプリング装置は上記目的を達成するために、被検査対象物表面上の粉状物質を捕集する捕集手段と、捕集された粉状物質の特定の性状によって粉状物質を選別できる選別手段と、選別された粉状物質を回収する回収手段を備えたものである。
【００１５】
この手段によりアレルゲンを含んだ粉状物質を被検査対象物表面から簡便に回収することができるサンプリング装置が得られる。
【００１６】
また、本発明のサンプリング装置は上記目的を達成するために、開口枠体を被検査対象物表面上に接触させ、開口部に露出した被検査対象物表面を粉状物質の捕集領域とし、前記捕集領域にサンプリング媒体を満たすことで粉状物質を捕集することを特徴としたものである。
【００１７】
これにより簡単に再現良く被検査対象物表面上のアレルゲンを含んだ粉状物質を回収することができるサンプリング装置が得られる。
【００１８】
また、これによって被検査対象物表面上のアレルゲンを含んだ粉状物質をロスすることなく回収できるサンプリング装置が得られる。
【発明の効果】
【００１９】
本発明によれば、被検査対象物表面上の粉状物質を誰でも簡単に再現良く確実に回収できるという効果のあるサンプリング装置を提供できる。
【発明を実施するための最良の形態】
【００２０】
本発明の請求項１記載の発明は、被検査対象物表面上の粉状物質を捕集する捕集手段と、捕集された粉状物質の特定の性状によって粉状物質を選別できる選別手段と、選別された粉状物質を回収する回収手段と、捕集手段によって捕集された粉状物質を選別手段に移動させる移動手段と、選別手段によって選別された粉状物質を回収手段に移動させる第２の移動手段を備えたサンプリング装置であって、前記捕集手段は粉状物質を捕集手段に取りこむ開口部と前記開口部を形成し被検査対象物表面上の捕集領域を限定する開口枠体と前記粉状物質を捕捉する捕捉部と前記粉状物質を対象物上から捕捉部に移動させるサンプリング媒体と前記サンプリング媒体を含有するサンプリング媒体供給部と前記サンプリング媒体を捕集領域に導入させるサンプリング媒体導入手段と開口部に導入されたサンプリング媒体を捕集領域から捕捉部に導入させる第２のサンプリング媒体導入手段を備えたことを特徴とするサンプリング装置としたものであり、アレルゲンを含んだ粉状物質を被検査対象物表面から簡単に回収することができるという作用を有する。
【００２１】
また、開口枠体を被検査対象物表面上に接触させ、開口部に露出した被検査対象物表面を粉状物質の捕集領域とし、前記捕集領域にサンプリング媒体を満たすことで粉状物質を捕集することを特徴とした請求項１記載のサンプリング装置としたものであり、再現良く被検査対象物表面上のアレルゲンを含んだ粉状物質を回収する作用を有する。
【００２２】
また、開口枠体が弾性もしくは可塑性を有する材質から構成されることを特徴とした捕集手段を備えた請求項１あるいは２記載のサンプリング装置としたものであり、被検査対象物表面の凹凸の形状に対応して再現良く被検査対象物表面上のアレルゲンを含んだ粉状物質を回収する作用を有する。
【００２３】
また、開口部の真上に配置され開口部と同じ形状かつ同じ大きさの開放口を備え、一定時間内に捕集領域に落下してきた粉状物質を捕集することを特徴とする請求項１〜９のいずれかに記載のサンプリング装置としたものであり、空中に浮遊していて被検知対象物表面に落下してきた粉状物質も簡単に回収することが可能になる作用を有する。
【００２４】
また、捕集手段がサンプリング装置から脱着可能な構造である請求項１〜１０のいずれかに記載のサンプリング装置としたものであり、捕集手段を単独で移動させることができ、さまざまな被検知対象物表面から簡単に粉状物質を回収することができるという作用を有する。
【００２５】
また、粉状物質の粒径によって粉状物質を選別することのできる篩手段からなる選別手段を備えた請求項１〜１１のいずれかに記載のサンプリング装置としたものであり、回収した粉状物質中の非アレルゲン物質を簡単に除外することができるという作用を有する。
【００２６】
また、粉状物質を溶解させるための溶媒と粉状物質を溶媒に溶解させる溶解手段からなる選別手段を備え、粉状物質の溶解能の差異によって粉状物質を選別することを特徴とした請求項１〜１１のいずれかに記載のサンプリング装置としたもので、粉状物質中に含まれるアレルゲンのうち特定のアレルゲンを溶媒への溶解能の差異によって選択的に回収することできるという作用を有する。
【００２７】
また、回収手段に脱着可能なサンプリング容器を備え、前記サンプリング容器内に粉状物質を回収することを特徴とした回収手段を備えた請求項１〜１４のいずれかに記載のサンプリング装置としたものであり、サンプリング容器をサンプリング装置から取り外すことができ、回収された粉状物質をサンプリング装置から取り出して容易に取り扱うことができるという作用を有する。
【００２８】
また、サンプリング容器に回収された粉状物質を溶解させるサンプリング溶媒と、前記サンプリング溶媒に粉状物質を溶解させる溶解手段と、粉状物質を溶解した前記サンプリング溶媒を固化させる固化手段を備えた回収手段を備えた請求項１５記載のサンプリング装置としたもので、回収した粉状物質中のアレルゲンを安定に保存することができるという作用を有する。
【００２９】
また、粉状物質の重量を計測する測量手段を捕集手段もしくは選別手段もしくは回収手段のいずれかに少なくとも一つ備えた請求項１〜１６のいずれかに記載のサンプリング装置としたもので、回収した粉状物質量を粉状物質を回収と同時に知ることができるという作用を有する。
【００３０】
また、請求項１〜１７のいずれかに記載のサンプリング装置を有するアレルゲン計測装置としたもので、被検査対象物表面から簡便に再現良く回収した粉状物質中のアレルゲン量を計測することで、非検査対象物のアレルゲン汚染状態を精度良く知ることができるという作用を有する。
【００３１】
以下、本発明の実施の形態について図面を参照しながら説明する。
【００３２】
（実施の形態１）
図１に示すように、サンプリング装置１は、捕集手段２と選別手段３と回収手段４を備え、捕集手段２によって捕集された粉状物質５を選別手段３に移動させる移動手段６と選別手段３によって選別された粉状物質５を回収手段４に移動させる第２の移動手段７を備えている。捕集手段２は粉状物質５を捕集手段２に取りこむ開口部８と前記開口部８を形成し被検査対象物表面９上の捕集領域１０を限定する開口枠体１１と前記粉状物質５を捕捉する捕捉部１２と前記粉状物質５を捕集領域１０上から捕捉部１２に移動させるサンプリング媒体１３と前記サンプリング媒体１３を含有するサンプリング媒体供給部１４と前記サンプリング媒体１３を捕集領域１０に導入させるサンプリング媒体導入手段１５と開口部８に導入されたサンプリング媒体１３を捕集領域１０から捕捉部１２に導入させる第２のサンプリング媒体導入手段１６を備えている。
【００３３】
ここで、被検査対象物表面９上の捕集領域１０を限定するとは、被検査対象物表面９上の捕集領域１０と非捕集領域を区切ることであり、開口枠体１１によって捕集領域１０が限定されることで、常に同じ広さの捕集領域１０からサンプリングを行うことができるようになる。
【００３４】
上記構成において、開口枠体１１を被検査対象表面９上に接触させ、開口部８に露出した被検査対象物表面９を捕集領域１０とし、サンプリング媒体導入手段１５によってサンプリング媒体１３をサンプリング媒体供給部１４から前記捕集領域１０に導入して捕集領域１０に満たすことで、捕集領域１０上の粉状物質５をサンプリング媒体１３に含有させる。次に開口部８に満たされ粉状物質５を含有したサンプリング媒体１３を第２のサンプリング媒体導入手段１６を用いて捕捉部１２内に導入することで、粉状物質５を捕捉部１２内に捕捉する。
【００３５】
ここで、開口枠体１１と被検査対象物表面９との接触は、捕集領域１０上に導入されたサンプリング媒体１３が非捕集領域に漏れてしまわないように、密着しているように示したが、捕集領域１０に満たされるサンプリング媒体１３が非捕集領域に漏れない条件を満たすことができれば、必ずしも開口枠体１１と被検査対象物表面９との接触が完全でなく隙間が開いていたとしても、捕集領域１０内の粉状物質５のみ捕捉することができる。
【００３６】
ここで示した開口枠体１１とは、例えばリング状の金属や木の箱枠であり、区切られた面を構成できるものであれば目的のサンプリングが可能である。また、ここで示した開口部８とはリング状の金属のリング内側や木の箱枠の開放しているところであり、開放枠体１１によって区切られている穴のことである。また、ここで示したサンプリング媒体１３とは、例えば水や空気などの液体や気体などの流体であり、この場合、粉状物質５であるハウスダストなどを被検査対象物表面９上から浮遊させ、サンプリング媒体１３を捕捉部１２に移動させることで粉状物質５を捕捉部１２に補足する。なお、サンプリング媒体１３である液体や気体は流体であって、流体による流動によって粉状物質５を捕捉部１２へ移動させるものであれば水や空気以外のものでも同目的のサンプリングが可能である。また、サンプリング媒体１３が水や気体などの流体である場合、サンプリング媒体１３が非捕集領域に漏れてしまわないように、開口枠体１１と被検査対象物質表面９上の隙間無く接触する必要があるため、開口枠体１１は被検査対象物表面９上に例えば手動で強く押さえつける必要がある。また、サンプリング媒体１３は、例えば捕集される粉状物質５を吸着させる粘着テープや粘着性を持ったゲルなどの担体であり、この場合、粉状物質５であるハウスダストなどが担体に付着し、担体が捕捉部１２に捕捉されることで粉状物質５が捕捉部１２に捕捉される。なお、サンプリング媒体１３である担体が粘着性を持つものでなくても、粉状物質５を付着させたりひきつけたりすることで、被検査対象物表面９から離すことができるものであれば、同目的のサンプリングが可能になる。また、ここで示したサンプリング媒体１３を捕集領域１０に満たすとは、捕集領域１０上の被検査対象物質表面９上すべてにサンプリング媒体１３が接触し覆う事を指し、捕集領域１０の表面上をすべてに接触し覆うことができれば、捕集領域１０に導入されるサンプリング媒体１３の量は開口部８の占める体積より少なくても多くても捕集領域１０上の被検査対象物表面９から粉状物質５を捕集することができる。また、ここで示したサンプリング媒体供給部１４は、例えば容器や袋状の流体を内包することができるものや、担体を堅持できるものを指し、サンプリング媒体１３を開口部８から切り離して堅持できるものであれば、同目的のサンプリングが可能となる。また、ここで示したサンプリング媒体導入手段１５とは、例えばサンプリング媒体１３である流体を噴出させるスポイトやポンプであり、サンプリング媒体１３である担体を開口部８に落下させるピンセットであり、この他、堅持していたサンプリング媒体１３をサンプリング媒体供給部１４から切り離し開口部８へ移動させることができるものであれば同目的のサンプリングが可能となる。また、ここで示した第２のサンプリング媒体導入手段１６とは、開口部８の被検査対象物表面９からサンプリング媒体１３を切り離すことのできる手段であり、例えば流体であるサンプリング媒体１３を吸引することのできるスポイトやポンプであり、例えば捕集領域１０に落下したサンプリング媒体１３である担体を拾い上げるピンセットや送風装置である。また、ここで示した捕捉部１２とは、第２のサンプリング媒体導入手段１６によって被検査対象物表面９から切り離したサンプリング媒体１３を堅持することのできるものであり、例えば、サンプリング媒体１３である流体を補足することのできる容器や袋状のものや、サンプリング媒体１３である担体をつまむピンセットや送風装置である。また、サンプリング媒体１３を捕集領域１０から切り離して堅持できるものであれば、上記以外のものであっても同目的のサンプリングが可能となる。また、ここで示した移動手段６とは、例えば流体であるサンプリング媒体１３を移動させるためのポンプやスポイトであり、また、サンプリング媒体１３である担体を移動させるピンセットや送風機などである。例えばサンプリング媒体１３が水である場合、例えば容器で構成された捕捉部１２から粉状物質５を含んだ水が、例えばポンプである移動手段６によって選別手段３に移動され、粉状物質５が選別手段３に移動される。また、ここで示した選別手段３とは、詳細は実施の形態１２で説明するが、例えば篩手段２３としての金属や木材で編みこまれた網から構成されるものであて、例えばポンプで構成されポンプの一方の端が捕集領域１０の被検査対象物表面９に接するように配置されもう一方の端が選別手段３の篩手段２３の上方に配置された移動手段６によって捕集手段２から粉状物質５が選別手段３に移動され、移動された粉状物質５が篩を構成する網目の大きさによって粉状物質５が選別され、網目を通過できない粉状物質５は篩上に残り、篩を通過した粉状物質５のみをサンプリングすることができる。また第２の移動手段７とは、例えば流体であるサンプリング媒体１３を移動させるためのポンプやスポイトであり、例えば篩手段２３である選別手段３によって選別され、篩の下に落下した粉状物質５を、ポンプなどで吸引し、回収手段４に移動することで、餞別された粉状物質５が回収手段４に回収される。また、ここで示した回収手段４とは、詳細は実施の形態１６で説明するが、例えば、ガラスやプラスチックで形成され回収手段４から取り外し可能な容器が回収手段４内部に設置されており、例えばポンプで構成される第２の移動手段７によって選別手段３から移動された粉状物質５がガラスやプラスチックなどの容器内に回収される。
【００３７】
このサンプリング装置１は、例えば住環境中の部屋床面や壁面や天井面などの平坦な領域を被検査対象物として、被検査対象物表面９上にある粉状物質５中に存在しうる特定物質の存在量を計測または検知するためにサンプリングする目的で使用される。ここで、被検査対象物は必ずしも床面や壁面や天井面などの屋内にある平面領域である必要はなく、屋上や庭などの屋外であって被験者がサンプリング装置１をもって移動可能な領域であれば、いずれも同目的でサンプリングすることができる。また、被検査対象物がテレビやテーブルや椅子や車など環境中に設置されている物や被験者が身に付ける衣服や装飾品などであっても、被検査対象となる面を持つものもしくは面を形成しうるものであればいずれも同目的でサンプリングすることができる。また、被検査対象物表面９上にある粉状物質５とは、例えば床面上に落ちているハウスダストや絨毯の毛足中に含まれているダニや花粉などの動植物体やテーブル面上に付着している食品の残該のことを示し、被検査対象物上に存在する被検査対象物以外のものであって、粉状になり得るものであれば被検査対象物表面９に付着しているものであっても同目的でサンプリングされることができる。また、このサンプリング装置１によってサンプリングされ計測または検知される特定物質とは、例えばダニアレルゲンや花粉や黴などの動植物であったり、エストラジオールや植物アルカノイドなど動植物が産生する分子やこれらの分子を含有しうる物質であったり、ダイオキシン類やＰＣＢ類や難燃性臭素系化合物など環境ホルモンや残存性有機化合物といった化合物やこれらの化合物を含有しうるものを指す。また、計測または検知される特定物質を含有しうるものとは、特定物質が分子間相互作用によって特定物質以外のものに付着しているものであっても、共有結合によって特定物質以外のものに強固に結合しているものであってもかまわない。
【００３８】
上記構成において、常に同じ広さの捕集領域１０からサンプリングを行うことができるようになり、簡単に再現良く粉状物質５を得られるようになる。
【００３９】
（実施の形態２）
図２は実施の形態１で示したサンプリング装置１の捕集手段２による粉上物質５の捕集方法を示したものであり、実施の形態１と同一部分については同一番号を付し詳細な説明は省略する。図２において、図２ａ）のように開口枠体１１を被検査対象表面９上に接触させ、開口部８に露出した被検査対象物表面９を捕集領域１０とし、図２ｂ）のようにサンプリング媒体導入手段１５によってサンプリング媒体１３をサンプリング媒体供給部１４から前記捕集領域１０に導入して満たすことで、捕集領域１０上の粉状物質５をサンプリング媒体１３に含有させる。次に図２ｃ）のように開口部８に満たされ粉状物質５を含有したサンプリング媒体１３を第２のサンプリング媒体導入手段１６を用いて捕捉部１２内に導入することで、粉状物質５を捕捉部１２内に捕捉する。
【００４０】
ここで、開口枠体１１と被検査対象物表面９との接触は、捕集領域１０上に導入されたサンプリング媒体１３が非捕集領域に漏れてしまわないように、密着しているように示したが、捕集領域１０に満たされるサンプリング媒体１３が非捕集領域に漏れない条件を満たすことができれば、必ずしも開口枠体１１と被検査対象物表面９との接触が完全でなく隙間が開いていたとしても、捕集領域１０内の粉状物質５のみ捕捉することができる。
【００４１】
ここで示した開口枠体１１とは、例えばリング状の金属や木の箱枠であり、区切られた面を構成できるものであれば目的のサンプリングが可能である。また、ここで示した開口部８とはリング状の金属のリング内側や木の箱枠の開放しているところであり、開放枠体によって区切られている穴のことである。また、ここで示したサンプリング媒体１３とは、例えば水や空気などの液体や気体などの流体であり、この場合、捕集領域１０上にサンプリング媒体１３が満たされることによって粉状物質５であるハウスダストなどを被検査対象物表面９上から浮遊し、ハウスダストは水に取り込まれる。ハウスダストを含んだ水を例えば捕集領域１０に接するように捕集手段２の下端に配置された例えばポンプであるサンプリング媒体導入手段１５によって捕捉部１２に移動させることで粉状物質５を捕捉部１２に補足する。なお、サンプリング媒体１３である液体や気体は流体であって、流体による流動によって粉状物質５を捕捉部１２へ移動させるものであれば水や空気以外のものでも同目的のサンプリングが可能である。また、サンプリング媒体１３は、例えば捕集される粉状物質５を吸着させる粘着テープや粘着性を持ったゲルなどの担体であり、この場合、粉状物質５であるハウスダストなどが担体に付着し、担体が捕捉部１２に捕捉されることで粉状物質５が捕捉部１２に捕捉される。なお、サンプリング媒体１３である担体が粘着性を持つものでなくても、粉状物質５を付着させたりひきつけたりすることで、被検査対象物表面９から離すことができるものであれば、同目的のサンプリングが可能になる。また、ここで示したサンプリング媒体１３を捕集領域１０に満たすとは、捕集領域１０上の被検査対象物質表面上すべてにサンプリング媒体１３が接触し覆う事を指し、捕集領域１０の表面上をすべてに接触し覆うことができれば、捕集領域１０に導入されるサンプリング媒体１３の量は開口部８の占める体積より少なくても多くても捕集領域１０上の被検査対象物表面９から粉状物質５を捕集することができる。また、ここで示したサンプリング媒体供給部１４は、例えば容器や袋状の流体を内包することができるものや、担体を堅持できるものを指し、サンプリング媒体１３を開口部８から切り離して堅持できるものであれば、同目的のサンプリングが可能となる。また、ここで示したサンプリング媒体導入手段１５とは、例えばサンプリング媒体１３である流体を噴出させるスポイトや、サンプリング媒体１３である担体を開口部８に落下させるピンセットであり、この他、堅持していたサンプリング媒体１３をサンプリング媒体供給部１４から切り離し開口部８へ移動させることができるものであれば同目的のサンプリングが可能となる。また、ここで示した第２のサンプリング媒体導入手段１６とは、開口部８の被検査対象物表面９からサンプリング媒体１３を切り離すことのできる手段であり、例えば流体であるサンプリング媒体１３を吸引することのできるスポイトや、捕集領域１０に落下したサンプリング媒体１３である担体を拾い上げるピンセットである。また、ここで示した捕捉部１２とは、第２のサンプリング媒体導入手段１６によって被検査対象物表面９から切り離したサンプリング媒体１３を堅持することのできるものであり、例えば、サンプリング媒体１３である流体を補足することのできる容器や袋状のものや、サンプリング媒体１３である担体をつまむピンセットである。サンプリング媒体１３を捕集領域１０から切り離して堅持できるものであれば、同目的のサンプリングが可能となる。
【００４２】
上記構成において、常に同じ広さの被検査対象物表面９にある粉状物質５を簡単に再現良くサンプリングすることができるようになる。
【００４３】
（実施の形態３）
図３は実施の形態２で示した開口枠体１１が弾性もしくは可塑性を有する材質から構成される捕集手段２を示したものであり、実施の形態２と同一部分については同一番号を付し詳細な説明は省略する。開口枠体１１を被検査対象物表面９に接触させる際、被検査対象物表面９の形状に応じて開口枠体１１が変形することにより、接触に隙間が生じることなく捕集領域１０を限定することができる。これによって、実施の形態２で示したサンプリング媒体１３を捕集領域１０に満たす際、サンプリング媒体１３が非捕集領域に漏れてしまうことを防止することができる。
【００４４】
上記構成において、弾性もしくは可塑性を有する材質とは、例えばゴムやスポンジなどの容易に変形しうる材質であるが、開口枠体１１の変形は被検査対象物表面９に対して垂直方向に起きるものであれば、開口部８の形状と面積を一定に保つことが可能となり、捕集領域１０を一定にし且つ被検査対象物表面９の形状に対応してサンプリング媒体１３が非捕集領域に漏れることなく同目的のサンプリングができる。ここで、変形しうる開口枠体１１によって凹凸を持った例えば節のある板である被検査対象物表面９の捕集領域１０と非捕集領域を区切り、例えば水であるサンプリング媒体１３が捕集領域１０に導入されても非捕集領域にもれてしまわないように、捕集手段２は被検査対象物表面９上に例えば手動で押さえつけられる。非検査対象物表面上の開口枠体１１が変形することによって、非検査対象物表面に凹凸があっても、捕集領域１０上に満たされるサンプリング媒体１３が水であっても、非捕集領域に漏れることなく、捕集領域１０上の例えばハウスダストである粉状物質５のみが水に取り込まれ、水を例えばポンプである第２のサンプリング媒体導入手段１６によって捕捉部１２に移動することによって、粉状物質５が捕捉部１２に捕捉される。
【００４５】
上記構成において、凹凸を持った被検査対象物表面９にある粉状物質５から再現良くサンプリングすることができるようになる。
【００４６】
（実施の形態４）
図４は、実施の形態２で示したサンプリング媒体１３が流体であることを特徴とした捕集手段２を示したものである。実施の形態２と同一部分については同一番号を付し詳細な説明は省略する。
【００４７】
上記構成において、図４ｂ）のようにサンプリング媒体１３である流体が捕集領域１０に導入されることで、粉状物質５が流体中に浮遊し、図４ｃ）のように浮遊した粉状物質５を含有したサンプリング媒体１３が捕捉部１２に捕捉されることで粉状物質５が捕捉される。ここで、粉状物質５とは例えばハウスダストでありサンプリング媒体１３とは例えば水であり、ハウスダストを含んだ水を捕集領域１０に接するように捕集手段２の下端に配置された例えばポンプであるサンプリング媒体導入手段１５によって捕捉部１２に移動させることでハウスダストを捕捉部１２に補足する。
【００４８】
なお、サンプリング媒体導入手段１５としてポンプ以外のものであっても、ポンプの様に自動でサンプリング媒体１３を流動させることができるものであれば、より簡単に例えば水であるサンプリング媒体１３を捕集領域１０に満たすことができる。また、サンプリング媒体供給部１４と捕捉部１２を同一にしサンプリング媒体導入手段１５と第２のサンプリング媒体導入手段１６を同一にしても同目的のサンプリングが可能であり、この場合、捕集手段２を簡略化し小型化することが可能となる。
【００４９】
上記構成において、被検査対象物表面９にある粉状物質５を簡単に再現良くサンプリングすることができるようになる。
【００５０】
（実施の形態５）
図５は、実施の形態４で示した流体をサンプリング媒体１３の中に粒子状の物質１７を含有させた捕集手段２を示してある。実施の形態２と同一部分については同一番号を付し詳細な説明は省略する。実施の形態４で示した様にサンプリング媒体１３を流体とし粉状物質５を浮遊させることで捕集する場合において、粉状物質５が被検査対象物表面９に強固に付着していると、付着した粉状物質５を被検査対象物表面９から乖離させるために、流体の勢いを強くすることや複数回流体を流す必要がある。
【００５１】
上記構成において、本発明の様にサンプリング媒体１３の流体中に粒子状の物質１７を混入させることで、流体が捕集領域１０の被検査対象物表面９を流れる際に、図５ｂ）に示したように、粒子状の物質１７が、表面に付着した粉状物質５に衝突し、この衝突により付着した粉状物質５が被検査対象物表面９から乖離しやすくなり、効率的に粉状物質５を捕集することができる様になる。ここで示した粒子状の物質１７とは、例えばシリカゲルの粒やプラスチックの粒であり、流体のサンプリング媒体１３中を移動可能なものであれば、同目的のサンプリングが可能となる。また、粒子状の物質１７が例えば氷や錠剤などサンプリング媒体１３に溶解する物であっても、捕集領域１０にサンプリング媒体１３が満たされる間、粒状態を保つことができれば、同目的のサンプリングが可能となる。
【００５２】
上記構成において、粉状物質５が強固に結合してしまっている被検査対象物表面９から粉状物質５を再現良くサンプリングすることができるようになる。
【００５３】
（実施の形態６）
図６は、実施の形態２で示したサンプリング媒体１３が粉状物質５を吸着する性質を持つ担体１８で構成されている捕集手段２を示したものである。実施の形態２と同一部分については同一番号を付し詳細な説明は省略する。図６ｂ）の様に、担体１８がサンプリング媒体導入手段１５によって捕集領域１０上に満たされ、捕集領域１０上の粉状物質５が担体１８に吸着し、図６ｃ）のように粉状物質５を吸着した担体１８が第２のサンプリング媒体導入手段１６によって捕捉部１２に捕捉され、粉状物質５が捕集される。
【００５４】
上記構成において、粉状物質５を吸着する性質を持つ担体１８とは、例えば捕集される粉状物質５を吸着させる粘着テープや粘着性を持ったゲルや多孔質性の担体であり、例えばピンセットである担体１８を堅持したサンプリング媒体供給部１４から、粘着テープをサンプリング媒体導入手段１５となる例えば木材やプラスチックで形成された面で粘着テープを捕集領域１０上に押し付けることで、捕集領域１０上の粉状物質５を吸着する。次に例えばピンセットである第２のサンプリング媒体導入手段１６によって容器上の捕捉部１２に粘着テープを移動させることによって、粉状物質５を捕集することができる。なお、粉状物質５を吸着することで被検査対象物表面９から粉状物質５を乖離させることができるものであればこれ以外の担体であっても、同目的のサンプリングができる。また、使用される担体１８は開口枠体１１で限定された捕集領域１０の被検査対象物表面９に満たされる必要があるが、担体１８のもつ吸着性が捕集領域１０上に満たされるようになれば、同目的のサンプリングができる。この場合、例えば静電気を帯びた担体１８を捕集領域１０上で移動させることや、粘着性のロールを転がすことによっても同目的のサンプリングが可能となる。
【００５５】
上記構成において、サンプリング媒体１３として流体を使用しなくても、常に同じ広さの被検査対象物表面９から粉状物質５をサンプリングすることができるようになる。
【００５６】
（実施の形態７）
図７は実施の形態６で示した担体１８をシート状担体１９とした捕集手段２を示してある。実施の形態２と同一部分については同一番号を付し詳細な説明は省略する。図７ｂ）のように、シート状担体１９がサンプリング媒体導入手段１５によって捕集領域１０上に満たされ、捕集領域１０上の粉状物質５がシート状担体１９に吸着し、図７ｃ）のように粉状物質５を吸着したシート状担体１９が第２のサンプリング媒体導入手段１６によって捕捉部１２に捕捉され、粉状物質５が捕集される。
【００５７】
上記構成において、粉状物質５を吸着する性質を持つシート状担体１９とは、例えば捕集される粉状物質５を吸着させる粘着テープであり、例えばピンセットである粘着テープを堅持したサンプリング媒体供給部１４から、粘着テープをサンプリング媒体導入手段１５となる例えば木材やプラスチックで形成された面で粘着テープを捕集領域１０上に押し付けることで、捕集領域１０上の粉状物質５を吸着する。次に例えばピンセットである第２のサンプリング媒体導入手段１６によって容器上の捕捉部１２に粘着テープを移動させることによって、粉状物質５を捕集することができる。
【００５８】
上記構成において、サンプリング媒体１３として流体を使用しなくても、常に同じ広さの被検査対象物表面９から粉状物質５をサンプリングすることができるようになる。また、シート状担体１９を小さく丸めたり折りたたむことでサンプリング媒体供給部１４に大量に収納することができる他、サンプリング媒体供給部１４自身を小さくし捕集手段２を小型化することも可能となる。
【００５９】
（実施の形態８）
図８は、実施の形態６で示した担体１８を粒子状担体２０とした捕集手段２を示してあり、実施の形態２と同一部分については同一番号を付し詳細な説明は省略する。図８ｂ）のように、粒子状担体２０がサンプリング媒体導入手段１５によって捕集領域１０上に満たされ、捕集領域１０上の粉状物質５が粒子状担体２０に吸着し、図８ｃ）のように粉状物質５を吸着した粒子状担体２０が第２のサンプリング媒体導入手段１６によって捕捉部１２に捕捉され、粉状物質５が捕集される。
【００６０】
上記構成において、粒子状担体２０とは、例えば表面にのりなどの粘着質を流布したプラスチック顆粒や、静電気を帯びたガラスやプラスチックの顆粒や、多孔質の顆粒であり、これら粒子状担体２０を例えばポンプやスポイトを用いて捕集領域１０に満たし、被検査対象物表面９に接触させることでハウスダストや食品の残骸などが粒子状担体２０に吸着し、例えばポンプやスポイトを用いて粒子状担体２０を捕捉部１２に移動させることで、ハウスダストや食品の残骸が捕集される。粉状物質５に吸着する特性をもつ担体を粒子状担体２０とする事で様々な形状の捕集領域１０に対応して捕集領域１０にサンプリング媒体１３を満たすことができるようになり、捕集領域１０を限定する様々な形状の開口枠体１１を使用したとしても、簡単に粉状物質５を捕集することができるようになる。
【００６１】
上記構成において、サンプリング媒体１３として流体を使用しなくても、様々な形状の捕集領域１０から粉状物質５を簡単にサンプリングすることができるようになる。
【００６２】
（実施の形態９）
図９は、実施の形態６で示した担体１８を帯磁性担体２１とした捕集手段２を示してある。実施の形態２と同一部分については同一番号を付し詳細な説明は省略する。図９）のように、帯磁性担体２１がサンプリング媒体導入手段１５によって捕集領域１０上に満たされ、捕集領域１０上の粉状物質５が帯磁性担体２１に吸着し、図９ｃ）のように粉状物質５を吸着した帯磁性担体２１が第２のサンプリング媒体導入手段１６によって捕捉部１２に捕捉され、粉状物質５が捕集される。
【００６３】
上記構成において、帯磁性担体２１とは粉状物質５に吸着する性質を有し、なおかつ磁力を帯びているものであって、例えば磁気ビーズの表面にのりなどの粘着性のものを流布したものである。この場合、帯磁性担体２１を捕集領域１０上に導入させるサンプリング媒体導入手段１５として帯磁性を利用することができるようになる。例えば金属片や磁石などの帯磁性担体２１を吸着する塊を使用すればスポイトやピンセットを使用しなくても容易にサンプリング媒体１３を捕集領域１０に移動させたり捕集部に移動させることができる。
【００６４】
上記構成において、簡単にサンプリング媒体１３を移動させることができ、簡単に粉状物質５を捕集することができるようになる。
【００６５】
（実施の形態１０）
図１０は、開口部８の真上に配置され口面が平行になるように開口部８と同じ形状かつ同じ大きさの開放口２２を備えた捕集手段２を示したものである。実施の形態２と同一部分については同一番号を付し詳細な説明は省略する。空中に浮遊していて被検査対象物質表面上に落下してくる粉状物質５を捕集することができるように、開口部８の真上に配置され口面が平行になるように開口部８と同じ形状かつ同じ大きさの開放口２２が配置されている。ここで、口面とは開口枠体１１によって形成される開口部８の開口面のことであり、また、開口部８と同形状の開放口２２の開放面のことを指す。
【００６６】
上記構成において、捕集領域１０となる被検知対象物表面は、例えば床面やテーブル上面などのハウスダストが堆積する場所であって、開放口２２の開放面は上を向いている。なお、空中に浮遊しているものであって空中を流動することで壁面に付着する粉状物質５を捕集する場合は、開口部８および開放口２２は上面を向いている必要は無く、壁面に堆積する粉状物質５がとる軌跡に対して開口面が垂直方向を向いていれば、どの方向を向いていても同目的の捕集ができる。この場合は、例えば風に乗って外壁表面に付着する花粉や砂などの粉状物質５を捕集する場合であり、開口部８面と開放口２２面は外壁面に対して垂直に配置することで同目的の捕集ができる。
【００６７】
上記構成において被検査対象物表面９上の粉状物質５が極めて少ない場合においても、落下しうる粉状物質５が落下するまで時間をかけることで、粉状物質５を多く捕集することができるようになる。
【００６８】
（実施の形態１１）
図１１は、実施の形態１〜１０で示した捕集手段２がサンプリング装置１から脱着可能な構造であるサンプリング装置１を示してあり、実施の形態１と同一部分については同一番号を付し詳細な説明は省略する。図１１ａ）ｂ）のようにサンプリング装置１から切り離した捕集手段２を用いて、図１１ｃ〜ｅ）のようにサンプリング装置１から離れた被検査対象物表面９上の粉状物質５を捕集し、粉状物質５を捕集した捕集手段２をサンプリング装置１につなぐことで、捕集された粉状物質５がサンプリング装置１内に取り込まれる。サンプリング装置１内に移動された粉状物質５は移動手段６によって選別手段３に移動され選別され、選別された粉状物質５は第２の移動手段７によって回収手段４に移動され回収されることになる。
【００６９】
上記構成において、捕集手段２をサンプリング装置１から切り離す手段もしくは接続する手段としては、例えば手動によりものであり、粉状物質５を捕集手段２から移動させる移動手段６と捕集手段２との接続が、粉状物質５の移動を可能にするものであればどのような接続がされても、同目的のサンプリングが可能となる。また、例えば、捕集手段２を脱着させるサンプリング装置１には、捕集手段２を接続するために捕集手段２と同一形状の溝が形成されていて、前期捕集手段２と同一形状の溝に捕集手段２をはめ込むことによって、捕集手段２とサンプリング装置１との脱着が行われれば、捕集手段２とサンプリング装置１との脱着が容易になるが、前述のように移動手段６と捕集手段２との接続が粉状物質５の移動を可能にするものであればどのような接続がされても、同目的のサンプリングが可能となる。
【００７０】
上記構成において、サンプリング装置１から離れた被検査対象物表面９の捕集領域１０から粉状物質５を捕集し、サンプリング装置１に粉状物質５をサンプリングすることができるようになる。このため、サンプリング装置１を一箇所に固定してあっても、いろいろな場所を捕集領域１０としてサンプリングすることが可能になる。
【００７１】
（実施の形態１２）
図１２は、粉状物質５の粒径によって粉状物質５を選別することのできる篩手段２３からなる選別手段３を備えたサンプリング装置１を示してある。実施の形態１と同一部分については同一番号を付し詳細な説明は省略する。図１２ａ）のように捕集手段２によって捕捉された粉状物質５は、図１２ｂ）のように移動手段６によって選別手段３に移動され、図１２ｃ）のように篩手段２３によって選別される。
【００７２】
上記構成において、移動手段６とは、例えば流体であるサンプリング媒体１３を移動させるためのポンプやスポイトであり、また、サンプリング媒体１３である担体を移動させるピンセットなどである。また、粉状物質５を選別する篩手段２３とは、例えば金属や木材で編みこまれた網から構成されるものであて、篩を構成する網目の大きさによって粉状物質５が選別され、網目を通過できない粉状物質５は篩上に残り、篩を通過した粉状物質５のみをサンプリングすることができる。ここで、選別除去される粉状物質５とは、例えばハウスダスト中に混在する大きな紙くずやクリップや画鋲などの金属片を指す。これら、ハウスダスト中の大きな紙くずや金属片をサンプリングされるハウスダスト中から除去することで、検知対象となるハウスダスト以外の粉状物質５を除去することができるようになる。これによって、サンプリング装置１によって回収される粉状物質５の中に、測定や検知する上で障害となりうる大きな構造物を容易に除去することができる。
【００７３】
上記構成において、捕集手段２によって捕捉された粉状物質５から測定対象となる粉状物質５を選別することが可能となる。
【００７４】
（実施の形態１３）
図１３は、粉状物質５のサンプリング媒体１３中での比重の違いによって選別することを特徴とする選別手段３を備えたサンプリング装置１を示してある。実施の形態１と同一部分については同一番号を付し詳細な説明は省略する。
【００７５】
上記構成において、サンプリング媒体１３は流体が用いられており、サンプリング媒体１３を選別手段３から回収手段４に移動するための第２の移動手段７は選別手段３の下端から上方に離して設置されている。図１３ｂ）のように流体であるサンプリング媒体１３中に含有された粉状物質５は流体中の比重の違いにより重いものは下端に落下し、軽いものはサンプリング媒体１３中を浮遊した状態となる。次に図１３ｃ）のように下端から上方に離して設置されている第２の移動手段７によってサンプリング媒体１３中を浮遊している粉状物質５のみを回収手段４に移動することによって、比重の軽い粉状物質５のみを選別しサンプリングすることが可能となる。
【００７６】
ここで、比重の重い粉状物質５とは、例えば液体であるサンプリング媒体１３中のクリップや画鋲などの金属片であり、例えば気体であるサンプリング媒体１３中の大きな紙くずである。比重の軽い粉状物質５とは例えばハウスダストであり、液体や気体であるサンプリング媒体１３中を浮遊しており、下端に落下した粉状物質５以外を回収手段４に移動することによって浮遊したハウスダストのみをサンプリングすることができる。
【００７７】
上記構成において、捕集手段２によって捕捉された粉状物質５から測定対象となる粉状物質５をサンプリング媒体１３中の比重の違いによって選別することが可能となる。
【００７８】
（実施の形態１４）
図１４は、粉状物質５を溶解させるための溶媒２４と粉状物質５を溶媒２４に溶解させる溶解手段２５からなる選別手段３を備えたサンプリング装置１を示してある。実施の形態１と同一部分については同一番号を付し詳細な説明は省略する。
【００７９】
上記構成において、移動手段６によって選別手段３に移動されたサンプリング媒体１３と接触し粉状物質５を溶解させるための溶媒２４と、粉状物質５を溶媒２４に溶解させるための溶解手段２５が設置されている。図１４ｂ）のように、粉状物質５を含んだサンプリング媒体１３は選別手段３の中で溶媒２４に接触し、サンプリング媒体１３に捕捉されている粉状物質５は溶解手段２５によって溶媒２４に溶解され、図１４ｃ）のように溶媒２４に溶解した粉状物質５のみ第２の移動手段７によって回収手段４に移動させることで、粉状物質５の溶媒２４に対する溶解能の差異によって選別することができる。ここで、例えば液体であるサンプリング媒体１３中で捕捉された粉状物質５にエストラジオールなどの有機溶剤に溶解しやすく水に溶けにくい有機物が含まれていた場合、サンプリング媒体１３である液体と溶媒２４であるメタノールなどの有機溶剤を、例えばスターラーなどの攪拌装置である溶解手段２５によって激しく攪拌することで、エストラジオールがメタノール中に溶解し、メタノールに溶解しにくいものは水に溶解したままとなる。次に混合し攪拌した水とメタノールを静置する事によって水とメタノールを分離させ、水に重層されたメタノールのみを下端から上方に離して設置されている第２の移動手段７によって回収手段４に移動させることによって、捕捉された粉状物質５の中からエストラジオールなどのメタノールに溶解し易い物のみを回収することが可能になる。なお、選別する物質としてはエストラジオールに限らす、特定の溶剤に溶解しやすいものであって、サンプリング媒体１３と容易に分離可能のものであれば、同様な選別が可能になる。
【００８０】
上記構成において、粉状物質５の溶媒２４への溶解能の差異によって粉状物質５を選別することが可能となり、測定対象となる物質に応じて効率的なサンプリングが可能となる。
【００８１】
（実施の形態１５）
図１５は、回収手段４に脱着可能なサンプリング容器２６を備えた回収手段４を備えたサンプリング装置１を示してある。実施の形態１２と同一部分については同一番号を付し詳細な説明は省略する。
【００８２】
上記構成において、回収手段４内には回収手段４に設置し取り外すことのできる容器２６が配置してあり、図１５ａ）のように、第２の移動手段７によって選別手段３によって選別された粉状物質５が容器２６内に移動され回収される。図１５ｂ）のように、容器２６を回収手段４から取り外すことによって、容器２６内に回収された粉状物質５をサンプリング装置１から取り出すことができるようになる。ここで、第２の移動手段７は、例えばサンプリング溶媒２７である流体を吸い取るスポイトやポンプであり、容器２６は、例えばガラスやプラスチックで形成された容器２６である。
【００８３】
上記構成において、回収手段４に回収された粉状物質５を容易にサンプリング装置１から取り出すことができるようになる。
【００８４】
（実施の形態１６）
図１６は、サンプリング容器２６に回収された粉状物質５を溶解させるサンプリング溶媒２７と、前記サンプリング溶媒２７に粉状物質５を溶解させる溶解手段２５と、粉状物質５を溶解した前記サンプリング溶媒２７を固化させる固化手段２８を備えた回収手段４を備えたサンプリング装置１を示してある。実施の形態１５と同一部分については同一番号を付し詳細な説明は省略する。
【００８５】
上記構成において、図１６ａ）のように、選別手段３で選別された粉状物質５が第２の移動手段７によって回収手段４内の容器２６内に移動される。図１６ｂ）のように移動された粉状物質５は容器２６内に配置されたサンプリング溶媒２７に接触し、溶解手段２５によってサンプリング溶媒２７に溶解され、図１６ｃ）のように、固化手段２８によってサンプリング溶媒２７が固化される。ここで、第２の移動手段７は例えば粉状物質５をつまむためのピンセットや粉状物質５を吸い込むポンプや送風装置であり、例えばサンプリング溶媒２７は水や有機溶媒であり、例えば溶解手段２５はスターラーであり、例えば固化手段２８はサンプリング溶媒２７を冷却すし凍結させるためのペルチェなどの冷却装置である。なお、サンプリング溶媒２７には、粉状物質５を容易に溶解させるための界面活性剤や安定性を増すための高分子多糖類や防腐剤などの添加物が混入されていてもかまわない。
【００８６】
上記構成において、回収手段４の容器２６に回収された粉状物質５がサンプリング溶媒２７に溶解され、固化されることによって、粉状物質５を回収後に安定的に保管することができるようになる。
【００８７】
（実施の形態１７）
図１７は、粉状物質５の重量を計測する測量手段２９を捕集手段２もしくは選別手段３もしくは回収手段４のいずれかに少なくとも一つ備えたサンプリング装置１を示してある。実施の形態１２と同一部分については同一番号を付し詳細な説明は省略する。
【００８８】
上記構成において、選別手段３内に粉状物質５の重量を計測する測量手段２９が内蔵されている。図１７ｂ）のように、篩手段２３によって選別され落下した粉状物質５は、選別手段３の下端に設置された測量手段２９によって重量が計測される。ここで測量手段２９は、例えば電子天秤などの重量計測装置であり、選別された粉状物質５の重量が計測されるが、同様の測量手段２９が捕捉部１２に設置されていても、回収手段４内に設置されていても、粉状物質５の重量が計測される。
【００８９】
上記構成において、粉状物質５が回収されると同時に、回収量を重量として同時に知ることができるサンプリング装置１が得られる。これによって捕集領域１０上にあったハウスダストなどの重量を知ることで、汚染状況の程度を知ることが可能となり、得られたサンプル中のアレルゲン含有量を計測することによって、ハウスダストのアレルゲン含有量を知ることが可能になる。
【００９０】
（実施の形態１８）
図１８はサンプリング装置１を有したアレルゲン計測装置３０を示してある。実施の形態１６と同一部分については同一番号を付し詳細な説明は省略する。
【００９１】
上記構成において、アレルゲン計測装置３０はサンプリング装置１と接続されており、サンプリング装置１で回収された粉状物質５を検査対象として粉状物質５中のアレルゲンを検知する。ここで、アレルゲン計測装置３０としては、例えば有機分子の存在を検知する質量分析装置であるが、特定分子の検知測定が可能な装置であればいずれであってもかまわない。
【００９２】
上記構成において、サンプリング装置１に回収された粉状物質５を取り出して取り扱うことなく、容易にアレルゲン計測装置３０にてアレルゲン量を計測することができるようになる。
【００９３】
（実施の形態１９）
図１９はサンプリング装置１を有した抗原抗体反応を利用したアレルゲン計測装置３１を示してある。実施の形態１８と同一部分については同一番号を付し詳細な説明は省略する。上記構成において、抗原抗体反応を利用したアレルゲン計測装置３１はサンプリング装置１と接続されており、サンプリング装置１で回収された粉状物質５を検査対象として粉状物質５中のアレルゲンを検知する。ここで、抗原抗体反応を利用したアレルゲン計測装置３１は、例えばイムノクロマト方式を利用した検査装置であるが、アレルゲンに対して特異的に結合する抗体分子を利用した計測装置であればいずれであってもかまわない。
【００９４】
上記構成において、サンプリング装置１に回収された粉状物質５を取り出して取り扱うことなく、抗原抗体反応を利用したアレルゲン計測装置３１にて容易にアレルゲン量を計測することができるようになる。
【産業上の利用可能性】
【００９５】
本発明のサンプリング装置を用いることで、誰でも簡単に再現良く正確にサンプリングすることができ、得られたサンプル中のアレルゲン量を測定することでアレルゲンの汚染状況を正確に知ることができ、アレルギー患者がアレルゲン対策をとるための有用な指標とすることができる。
【図面の簡単な説明】
【００９６】
【図１】本発明の実施の形態１のサンプリング装置を示す図
【図２】本発明の実施の形態２の捕集手段を示す図
【図３】本発明の実施の形態３の捕集手段を示す図
【図４】本発明の実施の形態４の捕集手段を示す図
【図５】本発明の実施の形態５の捕集手段を示す図
【図６】本発明の実施の形態６の捕集手段を示す図
【図７】本発明の実施の形態７の捕集手段を示す図
【図８】本発明の実施の形態８の捕集手段を示す図
【図９】本発明の実施の形態９の捕集手段を示す図
【図１０】本発明の実施の形態１０の捕集手段を示す図
【図１１】本発明の実施の形態１１の捕集手段を示す図
【図１２】本発明の実施の形態１２の選別手段を示す図
【図１３】本発明の実施の形態１３の選別手段を示す図
【図１４】本発明の実施の形態１４の選別手段を示す図
【図１５】本発明の実施の形態１５の回収手段を示す図
【図１６】本発明の実施の形態１６の回収手段を示す図
【図１７】本発明の実施の形態１７のサンプリング装置を示す図
【図１８】本発明の実施の形態１８のアレルゲン計測装置を示す図
【図１９】本発明の実施の形態１９の抗原抗体反応を利用したアレルゲン計測装置を示す図
【図２０】従来のサンプリング手段を示す図
【図２１】従来のサンプリング手段を示す図
【符号の説明】
【００９７】
１  サンプリング装置
２  捕集手段
３  選別手段
４  回収手段
５  粉状物質
６  移動手段
７  第２の移動手段
８  開口部
９  被検査対象物表面
１０  捕集領域
１１  開口枠体
１２  捕捉部
１３  サンプリング媒体
１４  サンプリング媒体供給部
１５  サンプリング媒体導入手段
１６  第２のサンプリング媒体導入手段
１７  粒子状の物質
１８  担体
１９  シート状担体
２０  粒子状担体
２１  帯磁性担体
２２  開放口
２３  篩手段
２４  溶媒
２５  溶解手段
２６  容器
２７  サンプリング媒体
２８  固化手段
２９  測量手段
３０  アレルゲン計測装置
３１  抗原抗体反応を利用したアレルゲン計測装置
１０１  アレルゲン捕集部
１０２  アレルゲン検出部
１０３  抗原溶解液供給部
１０４  掃除機集塵袋
１０５  台紙
１０６  掃除機ホース挿入部
１０７  ケーシング
１０８  ぬぐい取りピン
１０９  捕集溝
１１０  輸送ゾーン
【図１】
2006071455.tif 000003
【図２】
2006071455.tif 000004
【図３】
2006071455.tif 000005
【図４】
2006071455.tif 000006
【図５】
2006071455.tif 000007
【図６】
2006071455.tif 000008
【図７】
2006071455.tif 000009
【図８】
2006071455.tif 000010
【図９】
2006071455.tif 000011
【図１０】
2006071455.tif 000012
【図１１】
2006071455.tif 000013
【図１２】
2006071455.tif 000014
【図１３】
2006071455.tif 000015
【図１４】
2006071455.tif 000016
【図１５】
2006071455.tif 000017
【図１６】
2006071455.tif 000018
【図１７】
2006071455.tif 000019
【図１８】
2006071455.tif 000020
【図１９】
2006071455.tif 000021
【図２０】
2006071455.tif 000022
【図２１】
2006071455.tif 000023